(57)【要約】【課題】  複数の会社が参画する建設工事等において効率的な業務の遂行を可能にする設計図書管理支援システムを提供することである。【解決手段】  複数の端末機及びサーバがＶＰＮを介して互いに接続されており、サーバにおいて、設計図書を特定するための図書番号及び関連情報についてのデータである設計図書管理データが格納される設計図書管理データ用ファイルと、設計図書の実質的な内容についてのデータである共有データが図面番号を付した状態で格納される共有データ用ファイルと、設計図書管理データ及び対応した共有データを図面番号を介して結合した確定設計図書データが格納される確定設計図書用データベースとを備え、各端末機から所望の共有データを共有データ用ファイルにアップロードし、或いは、各端末機から共有データ用ファイル中の所望の共有データをダウンロードできるように構成されている。【選択図】  図１
2011128914.tif 000002
【特許請求の範囲】
【請求項１】
複数の端末機及び管理ステーションとなるサーバが仮想私設通信網を介して互いに接続されている設計図書管理支援システムであって、
前記サーバにおいて、
設計図書を特定するための図書番号及び関連情報についてのデータである設計図書管理データが格納される設計図書管理データ用ファイルと、
設計図書の実質的な内容についてのデータである共有データが前記図書番号を付した状態で格納される共有データ用ファイルと、
前記設計図書管理データ及びこれに対応した共有データを前記図書番号を介して結合した確定設計図書データが格納される確定設計図書用データベースとを備え、
前記端末機の各々から所望の共有データを前記共有データ用ファイルにアップロードし、或いは、前記端末機の各々から前記共有データ用ファイル中の所望の共有データをダウンロードできるように構成されていることを特徴とするシステム。
【請求項２】
前記設計図書管理データのうち前記図書番号が、一旦指定されると変更されない不変データであり、前記関連情報についてのデータが指定後に追加したり変更したりできる可変データであることを特徴とする請求項１に記載されたシステム。
【請求項３】
前記サーバにおいて、前記共有データのうち、前記設計図書管理データと結合されて確定設計図書データとなったもの以外の共有データが格納される共有データ一時保管用ファイルを更に備えていることを特徴とする請求項１又は２に記載されたシステム。
【請求項４】
複数の端末機及び管理ステーションとなるサーバが仮想私設通信網を介して互いに接続されているネットワークサーバシステムにおいて設計図書管理支援を行うためのプログラムであって、
設計図書を特定するための図書番号及び関連情報についてのデータである設計図書管理データを作成して、前記サーバの設計図書管理データ用ファイルに格納するステップと、
設計図書の実質的な内容についてのデータである共有データを作成して、前記図書番号を付した状態で前記サーバの共有データ用ファイルに格納するステップと、
前記設計図書管理データ及びこれに対応した共有データを結合して前記図書番号を介して確定設計図書データを作成し、前記サーバの確定設計図書用データベースに格納するステップと、
前記端末機の各々から所望の共有データを前記共有データ用ファイルにアップロードし、或いは、前記端末機の各々から前記共有データ用ファイル中の所望の共有データをダウンロードするステップと、
をネットワークサーバシステムに実行させるためのプログラム。
【請求項５】
前記設計図書管理データのうち前記図書番号が、一旦指定されると変更されない不変データであり、前記関連情報についてのデータが指定後に追加したり変更したりできる可変データであることを特徴とする請求項４に記載されたプログラム。
【請求項６】
前記共有データのうち、前記設計図書管理データと結合されて確定設計図書データとなったもの以外の共有データを、前記サーバの共有データ一時保管用ファイルに格納するステップを更に含むことを特徴とする請求項４又は５に記載されたプログラム。
【発明の詳細な説明】
【技術分野】
【０００１】
本発明は一般に、設計図書管理支援システム及びプログラムに関する。より詳細には、本発明は、複数の会社が参画する建設工事等において効率的な業務の遂行を可能にする設計図書管理支援システム及びプログラムに関する。なお、本明細書における「設計図書」には、設計図面、設計計算書、仕様書、連絡文書などの他、設計・調達・施工業務において用いられる全ての文書が含まれるものとする。
【背景技術】
【０００２】
医薬品製造施設や研究施設などを建設する際、建物自体の設計・施工を行う建設会社の他、給排水設備を担当する会社、電気設備を担当する会社、空調設備を担当する会社など複数の会社が参画して業務を遂行するのが一般的である。このような建設工事の場合、工事に参画する会社間で的確かつタイムリーに情報を共有することが、業務を効率的に遂行するのにきわめて重要である。
【発明の開示】
【発明が解決しようとする課題】
【０００３】
しかしながら、複数の会社が参画する工事においては、設計・施工に必要な情報を必要な時点に取得するのは容易ではない。
【０００４】
例えば、研究施設の設計・建設を考えてみると、当該研究施設のうち研究室Ｘの建屋自体の図面が完成する前に、給排水設備や電気設備、空調設備などの設計作業を開始することは可能であり、また工期短縮の点からはその方が望ましいが、担当者間において情報を的確かつタイムリーに共有することが容易ではないため、建屋自体の設計の進捗度が或る段階に達するまで、他部門に情報が伝達されないのが通例である。とりわけ、当該設計・施工が複数の会社によって遂行される場合には、通常は共通の設計プラットフォームがなく、或いは、当該プロジェクトにおいて共通の設計プラットフォームを新たに構築しようとすると多大の時間とコストを要することを考慮すると、情報の共有に一層の困難を伴うという課題があった。
【０００５】
本発明は、このような状況に鑑みて開発されたものであって、複数の会社が参画する建設工事等において効率的な業務の遂行を可能にする設計図書管理支援システムを提供することを目的としている。
【課題を解決するための手段】
【０００６】
本願請求項１に記載の、複数の端末機及び管理ステーションとなるサーバが仮想私設通信網を介して互いに接続されている設計図書管理支援システムは、前記サーバにおいて、設計図書を特定するための図書番号及び関連情報についてのデータである設計図書管理データが格納される設計図書管理データ用ファイルと、設計図書の実質的な内容についてのデータである共有データが前記図書番号を付した状態で格納される共有データ用ファイルと、前記設計図書管理データ及びこれに対応した共有データを前記図書番号を介して結合した確定設計図書データが格納される確定設計図書用データベースとを備え、前記端末機の各々から所望の共有データを前記共有データ用ファイルにアップロードし、或いは、前記端末機の各々から前記共有データ用ファイル中の所望の共有データをダウンロードできるように構成されていることを特徴とするものである。
【０００７】
本願請求項２に記載の設計図書管理支援システムは、前記請求項１のシステムにおいて、前記設計図書管理データのうち前記図書番号が、一旦指定されると変更されない不変データであり、前記関連情報についてのデータが指定後に追加したり変更したりできる可変データであることを特徴とするものである。
【０００８】
本願請求項３に記載の設計図書管理支援システムは、前記請求項１又は２のシステムにおいて、前記サーバにおいて、前記共有データのうち、前記設計図書管理データと結合されて確定設計図書データとなったもの以外の共有データが格納される共有データ一時保管用ファイルを更に備えていることを特徴とするものである。
【０００９】
本願請求項４に記載の、複数の端末機及び管理ステーションとなるサーバが仮想私設通信網を介して互いに接続されているネットワークサーバシステムにおいて設計図書管理支援を行うためのプログラムは、設計図書を特定するための図書番号及び関連情報についてのデータである設計図書管理データを作成して、前記サーバの設計図書管理データ用ファイルに格納するステップと、設計図書の実質的な内容についてのデータである共有データを作成して、前記図書番号を付した状態で前記サーバの共有データ用ファイルに格納するステップと、前記設計図書管理データ及びこれに対応した共有データを前記図書番号を介して結合して確定設計図書データを作成し、前記サーバの確定設計図書用データベースに格納するステップと、前記端末機の各々から所望の共有データを前記共有データ用ファイルにアップロードし、或いは、前記端末機の各々から前記共有データ用ファイル中の所望の共有データをダウンロードするステップとを含むことを特徴とするものである。
【００１０】
本願請求項５に記載の設計図書管理支援プログラムは、前記請求項４のプログラムにおいて、前記設計図書管理データのうち前記図書番号が、一旦指定されると変更されない不変データであり、前記関連情報についてのデータが指定後に追加したり変更したりできる可変データであることを特徴とするものである。
【００１１】
本願請求項６に記載の設計図書管理支援プログラムは、前記請求項４又は５のプログラムにおいて、前記共有データのうち、前記設計図書管理データと結合されて確定設計図書データとなったもの以外の共有データを、前記サーバの共有データ一時保管用ファイルに格納するステップを更に含むことを特徴とするものである。
【発明の効果】
【００１２】
本発明によれば、共有データ用ファイルが仮想的な共通の設計プラットフォームとなるため、設計・施工業務の遂行に必要な情報を的確かつタイムリーに取得することができる。とりわけ、複数の会社が参画して設計・施工が行われる場合には、新たに共通の設計プラットフォームを構築することなしに、効率的な業務の遂行が可能になり、これにより工期の短縮やコストの節減、連絡ミスの低減などの種々の利点を得ることができる。
【発明を実施するための最良の形態】
【００１３】
次に図面を参照して、医薬品製造工場の設計・建設を例として、本発明の好ましい実施の形態に係る設計図書管理支援システムについて詳細に説明する。医薬品製造工場の設計・建設には、本設計・建設プロジェクトの発注者である医薬品メーカーＡ社、本設計・建設プロジェクトの主契約者であるエンジニアリング会社Ｂ社の他、建築設備の設計・施工を担当するＣ社、給排水設備の設計・施工を担当するＤ社、電気設備の設計・施工を担当するＥ社、空調設備の設計・施工を担当するＦ社が携わるものとする。
【００１４】
図１には、本発明の好ましい実施の形態に係る設計図書管理支援システムの全体構成の一例を示したブロック図が示されている。設計図書管理支援システムは、管理ステーションとして機能するサーバを備えている。
【００１５】
サーバは、バスによって相互に接続されたＣＰＵ（中央処理装置）、入出力装置、表示装置、メモリ、及び記憶装置であるハードディスクを少なくとも有している。サーバは、バス上のネットワークインタフェースおよびルータを介して、インターネット上に構築された仮想私設通信網（Virtual Private Network ，以下「ＶＰＮ」という）に接続されており、Ａ社〜Ｆ社にそれぞれ設置されているパーソナルコンピュータ（以下「パソコン」という）も同様にルータを介してＶＰＮに接続されている。
【００１６】
サーバの記憶装置には、図１に示されるように、設計図書管理データ用ファイル、共有データ用ファイル、確定設計図書用データベース、及び共有データ一時保管用ファイルが格納されている。
【００１７】
設計図書管理データ用ファイルには、設計図書管理データが格納されている。設計図書管理データとは、設計図書を特定するための図書番号及び関連情報についてのデータであり、設計図書（設計計算書）を紙の文書に例えると、設計計算書の“表紙”に相当するものであり、設計図書（図面）を紙の図面に例えると、図面のタイトル欄に表示される諸情報に相当するものである（図２参照）。
【００１８】
設計図書管理データの具体例は、以下のとおりである。
＜ａ−ｂ−ｃ−ｄ−ｅ−ｆ＞＋α
ここで、ａ＝図書作成者コード（例えば、Ａ社：Ａ，Ｂ社：Ｂ，・・・）
ｂ＝図書タイプコード（例えば、図面：Ｄ，計算書：Ｃ，・・・）
ｃ＝棟エリアコード（例えば、無菌製剤棟：Ｓ，試験棟：Ｌ，・・・）
ｄ＝内容区分コード（例えば、電気設備：Ｅ，空調設備：Ａ，・・・）
ｅ＝図書番号（例えば、００１〜９９９までの連番）
ｆ＝改訂データ（改訂番号（改訂１，２，・・・）及び改訂日付）
α＝関連情報データ（例えば、図書承認に関するデータ、客先コメントに関す              るデータ等）
である。
【００１９】
したがって、試験棟の空調設備についてＦ社が作成した第１番目の改訂０の計算書及び図面の設計図書管理データはそれぞれ、
＜Ｆ−Ｃ−Ｌ−Ａ−００１−０＞＋α
＜Ｆ−Ｄ−Ｌ−Ａ−００１−０＞＋α
となる。
【００２０】
設計図書管理データは、不変データと可変データに分けられる。不変データとは、一旦指定されると変更されないデータであり、上記の具体例では、「ａ」、「ｂ」、「ｃ」、「ｄ」、「ｅ」、「ｆ」に対応する（すなわち、図書作成者コード、図書タイプコード、棟エリアコード、内容区分コード、図書番号、改訂番号は、一旦指定されると変更されない）。一方、可変データとは、指定後に追加したり変更したりできるデータであり、上記の具体例では、「α」に対応する（或る設計図書に着目してみると、設計の進捗度に従って、図書承認に関する記載や客先コメント等の関連情報が付加される）。
【００２１】
共有データ用ファイルには、共有データが格納されている。共有データとは、設計図書の実質的な内容についてのデータであり、設計図書（設計計算書）を紙の文書に例えると、設計計算書の“中身”に相当するものであり、設計図書（図面）を紙の図面に例えると、“図面自体”に相当するものである（図２参照）。
【００２２】
共有データは、設計図書管理データのうち不変データ（図面番号）が付された状態で共有データ用ファイルに格納されている。
したがって、試験棟の空調設備についてＦ社が作成した第１番目の改訂０の図面についての共有データは、
「Ｆ−Ｄ−Ｌ−Ａ−００１−０」
という不変データを付した状態で共有データ用ファイルに格納されている。
【００２３】
確定設計図書用データベースには、設計図書管理データ及びこれに対応した共有データを結合した確定設計図書データが格納されている。設計図書管理データと共有データとの結合は、共有データに付された不変データ（図面番号）を介して実施される。
【００２４】
共有データ一時保管用ファイルには、共有データのうち、設計図書管理データと結合されて確定設計図書データとなったもの以外のデータが格納されている。
【００２５】
以上のように構成された設計図書管理支援システムを使用して、設計図書を管理する手順（ステップ）について説明する。まず最初に、サーバから（或いは、各社のパソコンからＶＰＮを介して）、設計図書管理データを入力し、設計図書管理データ保管用ファイルに格納する。なお、設計図書管理データは、設計・施工業務の途中において、逐次、追加入力することができる。
【００２６】
次いで、設計・施工業務の進行過程において、Ａ社〜Ｆ社は、各種の成果物（設計計算書、図面、検討書など）を作成するが、これらの成果物に関する情報を、対応する設計図書管理データの不変データ（図面番号）を付した状態で、共有データとして、各社のパソコンから入力して、共有データ用ファイルに格納する。
【００２７】
これと同時に、Ａ社〜Ｆ社は、各社のパソコンからサーバにアクセスして、共有データ保管用ファイルに格納されている共有データ（各種成果物）のうち所望のデータをダウンロードして、自社の管理業務又は設計・施工業務に使用することができる。また、Ａ社〜Ｆ社は、自社が作成した成果物（共有データ）を変更しようとする場合には、サーバにアクセスして、当該共有データを変更することができる。なお、共有データが変更された場合には、変更前の共有データと変更後の共有データが、両方のデータの相違が区別された状態（例えば、変更前のデータが改訂０、変更後のデータが改訂０−０′）で、共有データ用ファイルに格納される。
【００２８】
このような作業により、Ａ社〜Ｆ社は、管理業務又は設計・施工業務に関する最新のデータを共有することができる。
【００２９】
設計・施工業務の進行につれて、成果物の内容が一応確定すると、当該成果物について、改訂情報（改訂番号及び改訂日付。例えば「改訂０，2009年12月10日」）を付し、設計図書管理データとこれに対応した共有データを不変データを介して結合して確定設計図書データとし、確定設計図書用データベースに格納する（この作業は、サーバから行うこともできるし、各社のパソコンから行うこともできる）。確定設計図書用データベースに格納された確定設計図書データは変更することができない。
【００３０】
このようにして、成果物の内容が一定程度確定した段階で、当該成果物について、改訂情報（順次、改訂１，改訂２，・・・として）を付し、確定設計図書データとして、その都度、確定設計図書用データベースに格納する。
【００３１】
図３は、上述の例で示した共有データ「Ｆ−Ｄ−Ｌ−Ａ−００１−０」の時系列的な変遷の一例を示した模式図である。
いま、当該共有データが「改訂０」（２００９年１２月１０日）として設計図書管理データと結合して、確定設計図書用データベースに格納されたものとする。このデータについては、アクセスして変更することができない。次いで、「改訂０」のデータを同月１５日に一部修正し、この修正したデータを「改訂０−０′」としてアップロードしたものとする。さらに、同月２０日、２３日に一部修正して、それぞれ「改訂０−０′′」、「改訂０−０′′′」としてアップロードしたものとする。Ａ社〜Ｆ社は、「改訂０−０′」〜「改訂０−０′′′」についてダウンロードして自社の設計・施工業務に使用することができ、又、これらのデータを変更することもできる。
設計・施工業務が或る程度進行すると、当該共有データを「改訂１」として設計図書管理データと結合して、確定設計図書用データベースに格納する。「改訂１」として確定すると、このデータについては変更できなくなる。
設計・施工業務の全過程において、このような手順が繰り返される。
【００３２】
なお、共有データのうち、設計図書管理データと結合されて確定設計図書データとなったもの以外の共有データ（上述の例では、「改訂０−０′」〜「改訂０−０′′′」のデータ）については、共有データ一時保管用ファイルに格納され、必要があれば、後日の確認・検討作業に供される。
【００３３】
本発明は、以上の発明の実施の形態に限定されることなく、特許請求の範囲に記載された発明の範囲内で、種々の変更が可能であり、それらも本発明の範囲内に包含されるものであることはいうまでもない。
【００３４】
例えば、前記実施の形態において示された設計図書管理データの具体例は、単なる例示的なものであり、個々の使用形態に応じて、設計図書管理データの型式の詳細を任意に決定することができる。
【図面の簡単な説明】
【００３５】
【図１】本発明の好ましい実施の形態に係る設計図書管理支援システムの全体構成の一例を示したブロック図が示されている。
【図２】設計図書管理データ及び共有データの具体例を説明するための図である。
【図３】共有データの時系列的な変遷を説明するための図である。
【図１】
2011128914.tif 000003
【図２】
2011128914.tif 000004
【図３】
2011128914.tif 000005